(57)【要約】【課題】パンフレット等の印刷コンテンツを元に電子コンテンツデータ（印刷用コンテンツ，ＷＥＢ閲覧用コンテンツ）及び公開用ＷＥＢサーバを最小限のコストで構築し、印刷コンテンツの廃棄量を抑制すること【解決手段】コンテンツ登録用ＰＣが、複数ページからなる原稿（印刷コンテンツ）から読み取られた画像データをページ単位で印刷用コンテンツを生成し、該生成された各ページ単位の印刷用コンテンツに基づいてＷＥＢ閲覧用コンテンツをそれぞれ生成し、コンテンツ公開用ＷＥＢサーバ１３０が、該生成された各ＷＥＢ閲覧用コンテンツを前記各印刷用コンテンツにそれぞれ対応付けてＷＥＢ公開用データとして登録し、該登録された各ＷＥＢ閲覧用コンテンツを所定の通信媒体を介して外部に公開処理し、該公開処理されたＷＥＢ閲覧用コンテンツに対する印刷指示が入力された場合には、該指示されたＷＥＢ閲覧用コンテンツ対応付けられた印刷用コンテンツを印刷装置に送信して印刷処理させる構成を特徴とする。【選択図】      図１
2005020069.tif 000002
【特許請求の範囲】
【請求項１】
複数ページからなる原稿から読み取られた画像データをページ単位で印刷用コンテンツを生成して記憶手段に記憶させる第１の生成手段と、
前記第１の生成手段により生成された各ページ単位の印刷用コンテンツに基づいてＷＥＢ閲覧用コンテンツをそれぞれ生成して前記記憶手段に記憶させる第２の生成手段と、
前記記憶手段に記憶された各ＷＥＢ閲覧用コンテンツを前記各印刷用コンテンツにそれぞれ対応付けてＷＥＢ公開用データとして登録する登録手段と、
前記登録手段に登録された各ＷＥＢ閲覧用コンテンツを所定の通信媒体を介して外部に公開処理する公開手段と、
前記公開手段により公開処理されたＷＥＢ閲覧用コンテンツに対する印刷指示が入力された場合には、該指示されたＷＥＢ閲覧用コンテンツに対応付けられた印刷用コンテンツを印刷装置に送信して印刷処理させる印刷制御手段と、
を有することを特徴とするコンテンツ管理システム。
【請求項２】
前記各ページ単位の印刷用コンテンツに対してＩＤを付与する付与手段と、
前記印刷装置による印刷用コンテンツの印刷処理に対して、該印刷処理された印刷用コンテンツに付与されたＩＤ毎に、課金を行う課金手段と、
を設けたことを特徴とする請求項１記載のコンテンツ管理システム。
【請求項３】
前記記憶手段に記憶された各ＷＥＢ閲覧用コンテンツの公開を承認する承認手段を設け、
前記登録手段は、前記承認手段によって承認されたＷＥＢ閲覧用コンテンツを公開用データとして登録することを特徴とする請求項１記載のコンテンツ管理システム。
【請求項４】
前記公開手段により公開処理されている複数のＷＥＢ閲覧用コンテンツを選択する選択手段を設け、
前記印刷制御手段は、前記選択手段により複数のＷＥＢ閲覧用コンテンツが選択され印刷指示された場合には、該選択された複数のＷＥＢ閲覧用コンテンツに紐付けられた各印刷用コンテンツを１つの印刷用コンテンツに結合して印刷装置に送信して印刷処理させることを特徴とする請求項１記載のコンテンツ管理システム。
【請求項５】
複数ページからなる原稿から読み取られた画像データをページ単位で印刷用コンテンツを生成して記憶手段に記憶させる第１の生成工程と、
前記第１の生成工程により生成された各ページ単位の印刷用コンテンツに基づいてＷＥＢ閲覧用コンテンツをそれぞれ生成して前記記憶手段に記憶させる第２の生成工程と、
前記記憶手段に記憶された各ＷＥＢ閲覧用コンテンツを前記各印刷用コンテンツにそれぞれ対応付けてＷＥＢ公開用データとして登録する登録工程と、
前記登録工程により登録された各ＷＥＢ閲覧用コンテンツを所定の通信媒体を介して外部に公開処理する公開工程と、
前記公開工程により公開処理されたＷＥＢ閲覧用コンテンツに対する印刷指示が入力された場合には、該指示されたＷＥＢ閲覧用コンテンツに対応付けられた印刷用コンテンツを印刷装置に送信して印刷処理させる印刷制御工程と、
を有することを特徴とするコンテンツ管理方法。
【請求項６】
請求項５に記載されたコンテンツ管理方法を実行するためのプログラム。
【請求項７】
請求項５に記載されたコンテンツ管理方法を実行するためのプログラムをコンピュータが読み取り可能に記憶した記録媒体。
【発明の詳細な説明】
【０００１】
【発明の属する技術分野】
本発明は、複数ページからなる原稿から読み取られた画像データに基づいて生成されるＷＥＢコンテンツを管理するコンテンツ管理システム及びコンテンツ管理方法およびプログラムおよび記録媒体に関する。
【０００２】
【従来の技術】
従来より、旅行業界では同業他社の旅行商品を売るという特殊な業態になっている。つまり、旅行業界では競合会社の代理店となって、競合会社の旅行商品を売ることで手数料を稼いでいる。このため、各旅行会社は、自らの旅行商品を消費者に認知させるためにパンフレットを大量に印刷して各支店や代理店に配布している。
【０００３】
また、代理店として旅行商品を売る場合も、この旅行パンフレットを商品発売元から大量に受け取り、その旅行パンフレットを店頭に置くなどして顧客が商品を認知することができるようにしている。
【０００４】
最近この旅行パンフレットを電子化して、インターネットで公開して閲覧に供したり、必要に応じて店頭で印刷する等の方法も検討されている。
【０００５】
【特許文献１】特開平１１−３０６２０４号公報
【０００６】
【特許文献２】特開２００２−４１４９９号公報
【０００７】
【発明が解決しようとする課題】
しかし、旅行代理店等は、商品発売元会社からパンフレットを無料で提供してもらっているため、必要部数以上に印刷パンフレットを貰い、旅行の募集期間が経過後に大量に廃棄する場合が多く、紙資源の無駄になっているという問題点があった。
【０００８】
一方、印刷パンフレットを提供する商品発売元会社側も、部数を大幅に減らすと販売機会損失となる恐れがあるため、簡単には印刷部数の削減に踏み切れない。つまり、配布部数を減らすと、印刷パンフレットが特定の旅行代理店で欠品し消費者に認知してもらえないとか、旅行代理店は複数の会社の商品を扱っているためパンフレット陳列の棚を減らされてしまう等の理由で、結果として大量に廃棄すると認識しつつも印刷部数を減らすことができなかった。
【０００９】
また、電子パンフレットを導入した場合、プリンタ等で出力することになるが、通常プリンタの印刷コストは通常の印刷機で印刷する場合よりも高いため、全体的に見れば却ってコストが嵩むことになりかねない。
【００１０】
そこで、従来の実需要相当分（例えば７０％程度）は従来同様に印刷パンフレットを提供して、印刷パンフレットが欠品した場合に電子パンフレットをオンデマンドで印刷することが考えられる。このように印刷パンフレットを残しつつ、更に電子パンフレットを作成する場合でも、上記特許文献１，２に記載のパンフレット作成システムでは、電子コンテンツデータや公開用ＷＥＢサーバの構築に多くの費用がかかってしまい、全体としての作成費用は従来よりも増加してしまったり、印刷費用を商品発売元会社ではなく、実際に印刷を行った旅行代理店側で負担することになってしまう等の問題点があった。
【００１１】
本発明は、上記の問題点を解決するためになされたもので、本発明の目的は、複数ページからなる原稿（印刷コンテンツ）から読み取られた画像データをページ単位で印刷用コンテンツを生成し、該生成された各ページ単位の印刷用コンテンツに基づいてＷＥＢ閲覧用コンテンツをそれぞれ生成し、該生成された各ＷＥＢ閲覧用コンテンツを前記各印刷用コンテンツにそれぞれ対応付けてＷＥＢ公開用データとして登録し、該登録された各ＷＥＢ閲覧用コンテンツを所定の通信媒体を介して外部に公開処理し、該公開処理されたＷＥＢ閲覧用コンテンツに対する印刷指示が入力された場合には、該指示されたＷＥＢ閲覧用コンテンツに対応付けられた印刷用コンテンツを印刷装置に送信して印刷処理させることにより、パンフレット等の印刷コンテンツを元に電子コンテンツデータ（印刷用コンテンツ，ＷＥＢ閲覧用コンテンツ）及び公開用ＷＥＢサーバを最小限のコストで構築することができるとともに、特に印刷パンフレットの廃棄量を大幅に抑制し、紙パンフレットの印刷・配布コスト及び電子パンフレットの作成及び印刷コストの合計額を略最小に抑制することができるコンテンツ管理システムおよびコンテンツ管理方法およびプログラムおよび記録媒体を提供することである。
【００１２】
【課題を解決するための手段】
本発明の第１の発明は、複数ページからなる原稿から読み取られた画像データをページ単位で印刷用コンテンツを生成して記憶手段に記憶させる第１の生成手段（図１に示すコンテンツ登録用ＰＣ１７０）と、前記第１の生成手段により生成された各ページ単位の印刷用コンテンツに基づいてＷＥＢ閲覧用コンテンツをそれぞれ生成して前記記憶手段に記憶させる第２の生成手段（図１に示すコンテンツ登録用ＰＣ１７０）と、前記記憶手段に記憶された各ＷＥＢ閲覧用コンテンツを前記各印刷用コンテンツにそれぞれ対応付けてＷＥＢ公開用データとして登録する登録手段（図１に示すコンテンツ用イントラサーバ１４０，図１に示すコンテンツ公開用ＷＥＢサーバ１３０）と、前記登録手段に登録された各ＷＥＢ閲覧用コンテンツを所定の通信媒体を介して外部に公開処理する公開手段（図１に示すコンテンツ公開用ＷＥＢサーバ１３０）と、前記公開手段により公開処理されたＷＥＢ閲覧用コンテンツに対する印刷指示が入力された場合には、該指示されたＷＥＢ閲覧用コンテンツに対応付けられた印刷用コンテンツを印刷装置に送信して印刷処理させる印刷制御手段（図１に示すコンテンツ公開用ＷＥＢサーバ１３０，図１に示すコンテンツ検索・印刷用ＰＣ−Ａ１８５，Ｂ１８０）とを有することを特徴とする。
【００１３】
本発明の第２の発明は、前記各ページ単位の印刷用コンテンツに対してＩＤを付与する付与手段（図１に示すコンテンツ用イントラサーバ１４０）と、前記印刷装置による印刷用コンテンツの印刷処理に対して、該印刷処理された印刷用コンテンツに付与されたＩＤ毎に、課金を行う課金手段（図１に示す課金装置１５０）とを設けたことを特徴とする。
【００１４】
本発明の第３の発明は、前記記憶手段に記憶された各ＷＥＢ閲覧用コンテンツの公開を承認する承認手段（図示しない承認用ＰＣ）を設け、前記登録手段（図１に示すコンテンツ用イントラサーバ１４０，図１に示すコンテンツ公開用ＷＥＢサーバ１３０）は、前記承認手段によって承認されたＷＥＢ閲覧用コンテンツを公開用データとして登録することを特徴とする。
【００１５】
本発明の第４の発明は、前記公開手段により公開処理されている複数のＷＥＢ閲覧用コンテンツを選択する選択手段（図１に示すコンテンツ検索・印刷用ＰＣ−Ａ１８５，Ｂ１８０）を設け、前記印刷制御手段（図１に示すコンテンツ公開用ＷＥＢサーバ１３０）は、前記選択手段により複数のＷＥＢ閲覧用コンテンツが選択され印刷指示された場合には、該選択された複数のＷＥＢ閲覧用コンテンツに紐付けられた各印刷用コンテンツを１つの印刷用コンテンツに結合して印刷装置に送信して印刷処理させることを特徴とする。
【００１６】
本発明の第５の発明は、複数ページからなる原稿から読み取られた画像データをページ単位で印刷用コンテンツを生成して記憶手段に記憶させる第１の生成工程（図４のステップＳ５０２）と、前記第１の生成工程により生成された各ページ単位の印刷用コンテンツに基づいてＷＥＢ閲覧用コンテンツをそれぞれ生成して前記記憶手段に記憶させる第２の生成工程（図４のステップＳ５０４，Ｓ５０５）と、前記記憶手段に記憶された各ＷＥＢ閲覧用コンテンツを前記各印刷用コンテンツにそれぞれ対応付けてＷＥＢ公開用データとして登録する登録工程（図４のステップＳ５２９，図５のステップＳ６０１，Ｓ６０２）と、前記登録工程により登録された各ＷＥＢ閲覧用コンテンツを所定の通信媒体を介して外部に公開処理する公開工程と、前記公開工程により公開処理されたＷＥＢ閲覧用コンテンツに対する印刷指示が入力された場合には、該指示されたＷＥＢ閲覧用コンテンツに対応付けられた印刷用コンテンツを印刷装置に送信して印刷処理させる印刷制御工程（図６のステップＳ７２８，Ｓ７２９，Ｓ７０８〜Ｓ７１１）とを有することを特徴とする。
【００１７】
本発明の第６の発明は、第５の発明に記載されたコンテンツ管理方法を実行するためのプログラムであることを特徴とする。
【００１８】
本発明の第７の発明は、第５の発明に記載されたコンテンツ管理方法を実行するためのプログラムを記録媒体にコンピュータが読み取り可能に記憶させたことを特徴とする。
【００１９】
【発明の実施の形態】
〔第１実施形態〕
図１は、本発明の第１実施形態を示すコンテンツ管理システムの構成を示すシステム構成図である。
【００２０】
以下、旅行代理店におけるパンフレットの印刷を例として説明するが、旅行代理店におけるパンフレットの印刷に限られるものではなく、本発明のコンテンツ管理システムは、任意の機関による印刷物全般の印刷に適用可能である。
【００２１】
図において、１７０は、各旅行代理店等に設置されるコンテンツ登録用ＰＣであり、電子コンテンツをスキャナ等の読取装置１７５から読み込んで画像処理やフォーマット変換を行い、コンテンツ用イントラサーバ１４０にコンテンツ情報をアップするためのパーソナルコンピュータである。
【００２２】
読取装置１７５は、コンテンツ登録用ＰＣ１７０に接続されたスキャナ等の読取装置であるが、ネットワーク接続されたスキャナ・コピー・ＦＡＸ機能付きのいわゆる複合機であってもよい。
【００２３】
１４０は、各旅行代理店のイントラネットに接続されるコンテンツ用イントラサーバであり、コンテンツ登録用ＰＣ１７０から登録された承認前のコンテンツ情報を記憶し、内容を確認するためのサーバである。このコンテンツ用イントラサーバ１４０のハードディスクには、コンテンツ情報の登録プログラム，コンテンツＩＤの採番プログラム，検索テキストの登録プログラム，コンテンツ公開用ＷＥＢサーバ１３０へのアップロードプログラム等が記憶されている。これらのプログラムは、コンテンツ登録用ＰＣ１７０のＣＰＵの制御の下にＲＡＭに読み出されて実行される。
【００２４】
１３０は、旅行代理店又は第三者機関等に設置されるコンテンツ公開用ＷＥＢサーバであり、通信回線１９０を介して旅行パンフレットやカタログ等のコンテンツの検索用ページと閲覧用ページを提供可能である。このコンテンツ公開用ＷＥＢサーバ１３０のハードディスク２８（図２）には、コンテンツ用イントラサーバ１４０から登録された承認済みのコンテンツのデータベース，該データベースの検索用プログラム，印刷制御プログラム，ＷＥＢ参照データ作成プログラム等が記憶されている。
【００２５】
これらのプログラムは、コンテンツ公開用ＷＥＢサーバ１３０のＣＰＵ２１の制御の下にＲＡＭ２２に読み出されて実行される。このコンテンツ公開用ＷＥＢサーバ１３０は、コンテンツを検索・閲覧し、選択されたコンテンツを印刷するためのものであり、閲覧用の画像データ及びサムネール画像と検索用のテキストデータと印刷用のデータがハードディスク２８に記憶されている。
【００２６】
１８０，１８５は、各旅行代理店の店頭等に設置されるコンテンツ検索・印刷用ＰＣ−Ａ１８５，Ｂ１８０であり、通信回線１９０を介してコンテンツ公開用ＷＥＢサーバ１３０と接続して、コンテンツの検索と閲覧、印刷を行うためのパーソナルコンピュータである。
【００２７】
１６０は、各旅行会社の各支店等に設置される印刷装置であり、典型的にはネットワーク接続可能なカラープリンタであり、スキャナ・コピー・ＦＡＸ機能等を兼ね備えたいわゆる複合機であってもよい。
【００２８】
１５０は、各旅行会社の各支店等に設置される課金装置であり、印刷装置１６０への印刷情報を読み出し又はモニタし課金情報を蓄積して、管理サーバ１００に定期的に送信する課金専用端末である。
【００２９】
管理サーバ１００は、第三者機関に設置され、課金装置１５０より送信される課金情報を蓄積管理するものであり、この管理サーバ１００の図示しないハードディスクには、課金データベース（課金ＤＢ）及び印刷履歴データベース（印刷履歴ＤＢ）等が蓄積される。
【００３０】
図２は、図１に示したコンテンツ公開用ＷＥＢサーバ１３０，コンテンツ用イントラサーバ１４０のハードウェア構成を示すブロック図である。
【００３１】
図に示すように、コンテンツ公開用ＷＥＢサーバ１３０，コンテンツ用イントラサーバ１４０等のサーバ装置は、ＣＰＵ２１と、ＲＡＭ２２と、ＲＯＭ２３と、ネットワークアダプタ２４と、ビデオアダプタ２５と、キーボード２６と、マウス２７等のポインティングデバイスと、ハードディスク２８と、ＣＤ−ＲＯＭドライブ２９，ＤＶＤ−ＲＯＭドライブ等の記録媒体ドライブ（記憶媒体ドライブ）とを備え、これらがシステムバス２０を介して互いに接続されている。
【００３２】
ＣＰＵ２１は、ＲＯＭ２３又はハードディスク２８又はＣＤ−ＲＯＭドライブ２９に記憶保存されたプログラムを読み出して後述する各種制御処理を実行する。ハードディスク２８は、各種フォーム情報やマスタ類等を記憶するものとする。ＲＡＭ２２は、ＣＰＵ２１が所定の処理を実行する際にデータ等を一時記憶させるためのメモリである。ネットワークアダプタ（ＬＡＮアダプタ）２４は、通信回線１００に接続するための通信インターフェースである。
【００３３】
図３は、図１に示したコンテンツ登録用ＰＣ１７０，コンテンツ検索・印刷用ＰＣ−Ａ１８５，Ｂ１８０のハードウェア構成を示すブロック図である。
【００３４】
図に示すように、コンテンツ登録用ＰＣ１７０，コンテンツ検索・印刷用ＰＣ−Ａ１８５，Ｂ１８０等のパーソナルコンピュータ（ＰＣ）は、ＣＰＵ３１と、ＲＡＭ３２と、ＲＯＭ３３と、ネットワークアダプタ３４と、ビデオアダプタ３５と、キーボード３６と、マウス３７等のポインティングデバイスと、ハードディスク３８と、ＣＤ−ＲＯＭドライブ３９，ＤＶＤ−ＲＯＭドライブ等の記録媒体ドライブ（記憶媒体ドライブ）とを備え、これらがシステムバス３０を介して互いに接続されている。
【００３５】
ＣＰＵ３１は、ＲＯＭ３３又はハードディスク３８又はＣＤ−ＲＯＭドライブ３９に記憶保存されたプログラムを読み出して各種制御処理を実行する。ＲＡＭ３２は、ＣＰＵ３１が所定の処理を実行する際にデータ等を一時記憶させるためのメモリである。ネットワークアダプタ３４は、通信回線１００に接続するための通信インターフェースである。また、４０はモニタで、各種情報をビデオアダプタ３５を介して表示する。
【００３６】
以下、図４，図５を参照して、本発明のコンテンツ管理システムにおけるコンテンツアップロード処理及びＷＥＢサーバ登録処理について説明する。
【００３７】
図４，図５は、本発明のコンテンツ管理システムにおける第１の制御処理手順の一例を示すフローチャートであり、コンテンツアップロード処理及びＷＥＢサーバ登録処理に対応する。
【００３８】
なお、Ｓ５０１〜Ｓ５１１は、図１に示したコンテンツ登録用ＰＣ１７０により実行されるステップを示し、コンテンツ登録用ＰＣ１７０内のＣＰＵによりハードディスク又はその他の記録媒体に格納されたプログラムに基づいて実行される。また、Ｓ５２１〜Ｓ５３０は、図１に示したコンテンツ用イントラサーバ１４０により実行されるステップを示し、コンテンツ用イントラサーバ１４０内のＣＰＵによりハードディスク又はその他の記録媒体に格納されたプログラムに基づいて実行される。さらに、Ｓ５４１〜Ｓ５４２は、各旅行会社等に設置される図示しない承認用ＰＣにより実行されるステップを示し、承認用ＰＣ内の図示しないＣＰＵにより記録媒体に格納されたプログラムに基づいて実行される。また、Ｓ６０１〜Ｓ６０５は、図１に示したコンテンツ公開用ＷＥＢサーバ１３０により実行されるステップを示し、コンテンツ公開用ＷＥＢサーバ１３０内のＣＰＵによりハードディスク又はその他の記録媒体に格納されたプログラムに基づいて実行される。
【００３９】
まず、コンテンツ登録用ＰＣ１７０は、操作者からの指示により、画像登録画面を表示し（Ｓ５０１）、次に操作者が複合機又はスキャナ等の読取装置１７５を操作することによりスキャンされた印刷コンテンツ（例えば、いわゆる「トンボ」のついた色校正原稿や紙の印刷パンフレット（１ページ又は複数ページ）等）の読み取り画像を読取装置１７５からコンテンツ登録用ＰＣ１７０に送信させる画像読込処理を実行する（Ｓ５０２）。
【００４０】
次に、コンテンツ登録用ＰＣ１７０は、読み込んだ画像（１又は複数ページ）を所定の形式でドキュメントファイル（ＤＦ）化（例えば、ＰＤＦ（Ｐｏｒｔａｂｌｅ  Ｄｏｃｕｍｅｎｔ  Ｆｏｒｍａｔ）化）して、印刷用コンテンツ（ＤＦコンテンツ）を作成する。なお、このＤＦは、ＰＤＦに限定されるものではない。
【００４１】
さらに、ＤＦコンテンツをページ単位で分割し（Ｓ５０３）、該ページ単位で分割したＤＦコンテンツを変換してそれぞれ所定の形式の画像データ（例えば、ＪＰＥＧやビットマップやＴｉｆｆ等）を生成し（Ｓ５０４）、該各画像データから各ＤＦコンテンツに対応するサムネール画像を作成する（Ｓ５０５）。これらのコンテンツ情報（ＤＦコンテンツ，各コンテンツ画像，各サムネール画像等）は、コンテンツ登録用ＰＣ１７０により、コンテンツ用イントラサーバ１４０にアップロードされる（Ｓ５０７）。
【００４２】
なお、コンテンツ登録用ＰＣ１７０は、上述したコンテンツ情報に画像／文字領域の判定処理及び文字認識処理（ＯＣＲ処理）を行って、テキストと画像を混在させたＤＦコンテンツを作成し（Ｓ５０６）、コンテンツ用イントラサーバ１４０にアップロードする（Ｓ５０７）ように構成してもよい。なお、上述したコンテンツ情報内のページ単位のＤＦコンテンツとＷＥＢ公開用コンテンツ（各コンテンツ画像及びサムネール画像）は、ファイル名称又は管理情報等で関連付けられている。
【００４３】
そして、コンテンツ用イントラサーバ１４０では、コンテンツ登録用ＰＣ１７０から送信されるコンテンツ情報を受信し（Ｓ５２１）、該受信したコンテンツ情報をハードディスクに登録し（Ｓ５２２）、コンテンツ情報を送信してきたコンテンツ登録用ＰＣ１７０に対して、図示しないテキスト登録画面を送信する（Ｓ５２３）。なお、コンテンツ情報にテキスト情報（ＯＣＲ結果）が含まれている場合には、当該テキスト情報をこのテキスト登録画面に埋め込んでもよい。
【００４４】
そして、コンテンツ登録用ＰＣ１７０では、コンテンツ用イントラサーバ１４０から送信されるテキスト登録画面を受信しモニタに表示する（Ｓ５０８）。操作者は、このテキスト登録画面にて、コンテンツ名称，コンテンツ検索用のテキストの入力や、ＯＣＲ結果の確認を行って、これらを検索テキストとして登録することが可能である。
【００４５】
次に、コンテンツ登録用ＰＣ１７０は、操作者からのテキスト登録指示を検知すると（Ｓ５０９）、検索テキストをコンテンツ用イントラサーバ１４０に送信する。
【００４６】
そして、コンテンツ用イントラサーバ１４０では、コンテンツ登録用ＰＣ１７０から送信される検索テキストを受信し（Ｓ５２４）、該受信した検索テキストをコンテンツ画像と対応付けてハードディスクに登録する（Ｓ５２５）。
【００４７】
次に、コンテンツ用イントラサーバ１４０は、一連のＤＦコンテンツに関連つけたコンテンツＩＤを作成（コンテンツＩＤ採番）する（Ｓ５２６）。このコンテンツＩＤと登録元との対応情報を保存しておくものとする。
【００４８】
ステップＳ５２６のコンテンツＩＤ採番処理が終わると、コンテンツ用イントラサーバ１４０は、図示しない承認用ＰＣに対して承認要求を送信する（Ｓ５２７）。この承認要求の送信は、電子メールによる承認用ＵＲＬの通知であってもよいし、電子メールの添付ファイルとして各コンテンツ画像と該コンテンツ画像に対応する検索用テキストを送付するようにしてもよいし、電子メールの他にメッセージソフトでＵＲＬ等を通知するようにしてもよいし、又は、単に承認用ＰＣで承認用の画面を表示したときに承認用ＰＣからの要求に基づいて未承認の案件がある旨を承認用ＰＣに通知して表示させるように構成しても良い。この承認用ＰＣとは、コンテンツ登録における承認者が承認用に使用するものであり、特定のＰＣであってもよいし、単に承認権限のある承認者が使用するＰＣであってもよい。
【００４９】
そして、承認用ＰＣでは、コンテンツ用イントラサーバ１４０から送信される承認要求を受信し（Ｓ５４１）、該受信した承認要求をモニタに表示等して承認者による承認指示又は否認指示に入力を促す。
【００５０】
そして、承認用ＰＣは、操作者からの承認指示又は否認指示の入力を検知すると、該承認指示又は否認指示をコンテンツ用イントラサーバ１４０に送信する。この承認指示又は否認指示は、電子メール等による返信で「Ｓｕｂｊｅｃｔ：」の欄に、承認又は否認を示す文字列等を記載するように構成してもよいし、承認用ＵＲＬのサイト上で指示するように構成してもよい。
【００５１】
コンテンツ用イントラサーバ１４０は、承認用ＰＣから送信される承認指示又は否認指示を受信し、承認指示であるか否かを判定する（Ｓ５２８）。
【００５２】
ステップＳ５２８で、承認指示でない（否認指示である）と判定した場合には、コンテンツ用イントラサーバ１４０は、コンテンツ登録用ＰＣ１７０に該当するコンテンツ情報が否認されたことを示す否認メールを送信する（Ｓ５３０）。
【００５３】
そして、コンテンツ登録用ＰＣ１７０では、コンテンツ用イントラサーバ１４０から送信される否認メールを受信し（Ｓ５１１）、操作者に該当するコンテンツ情報が否認されたことを通知する。
【００５４】
一方、ステップＳ５２８で、承認指示であると判定した場合には、コンテンツ用イントラサーバ１４０は、該当するコンテンツ情報をコンテンツ公開用ＷＥＢサーバ１３０に送信する（Ｓ５２９）。詳細には、コンテンツ用イントラサーバ１４０は、ユーザ情報，コンテンツ画像，サムネール画像，検索用テキスト，ＤＦ化コンテンツ，コンテンツＩＤを含むコンテンツ情報を、コンテンツ公開用ＷＥＢサーバ１３０にアップロードする。なお、上述のコンテンツ情報のうち、コンテンツ画像及びサムネール画像は、コンテンツ公開用ＷＥＢサーバ１３０において閲覧用に使用され（ＷＥＢ閲覧用コンテンツ）、ＤＦコンテンツとコンテンツＩＤは印刷用に使用される（印刷用コンテンツ）。
【００５５】
そして、コンテンツ公開用ＷＥＢサーバ１３０では、承認用ＰＣから送信される上述のコンテンツ情報を受信し（Ｓ６０１）、該受信したコンテンツ情報をハードディスクに登録する（Ｓ６０２）。
【００５６】
次に、コンテンツ公開用ＷＥＢサーバ１３０は、登録したコンテンツ情報からコンテンツ公開用のＨＴＭＬを生成し（Ｓ６０３）、トップからのリンク情報を更新する（Ｓ６０４）。詳細には、コンテンツ画像，サムネール画像，検索用テキスト，ユーザ情報及び予め登録されているフレーム等を用いてコンテンツ公開用のＨＴＭＬを生成し、該生成されたＨＴＭＬのトップページからのリンク情報を更新する。
【００５７】
そして、コンテンツ公開用ＷＥＢサーバ１３０は、アクセス権限を特定の管理者のみ参照及び書き込み可能な状態から外部のネットワークから読取専用として公開するようにアクセス権限を更新する（Ｓ６０５）。
【００５８】
なお、図４に示したステップＳ５０３〜Ｓ５０６の全て又は一部のステップを、コンテンツ用イントラサーバ１４０で実行するように構成してもよい。
【００５９】
なお、ステップＳ５０３とステップＳ５０４の間でＳ５０８乃至Ｓ５１０の処理を実行しても良い。つまり、画像をＤＦに変換して分割した後、分割された各ＤＦに対する検索テキストを入力してこの検索テキストを各ＤＦに関連付け、ステップＳ５０７では更にこの検索テキスト及び関連付け情報を含めてコンテンツ情報を一括して送信しても良い。
【００６０】
また、図５に示したステップＳ６０３〜Ｓ６０４を、図４に示したステップＳ５２８とＳ５２９の間でコンテンツ用イントラサーバ１４０で実行するように構成してもよい。
【００６１】
以下、図６〜図１０を参照して、本発明のコンテンツ管理システムにおける検索・印刷処理について説明する。
【００６２】
図６は、本発明のコンテンツ管理システムおける第２の制御処理手順の一例を示すフローチャートであり、コンテンツアップロード処理及びＷＥＢサーバ登録処理に対応する。
【００６３】
なお、Ｓ７０１〜Ｓ７１２は、図１に示したコンテンツ検索・印刷用ＰＣ−Ａ１８５又はＢ１８０（以下、単にコンテンツ検索・印刷用ＰＣとして示す）により実行されるステップ示し、コンテンツ検索・印刷用ＰＣ内のＣＰＵによりハードディスク又はその他の記録媒体に格納されたプログラムに基づいて実行される。また、Ｓ７２１〜Ｓ７２９は、図１に示したコンテンツ公開用ＷＥＢサーバ１３０により実行されるステップを示し、コンテンツ公開用ＷＥＢサーバ１３０内のＣＰＵによりハードディスク又はその他の記録媒体に格納されたプログラムに基づいて実行される。さらに、Ｓ７４１〜Ｓ７４４は、図１に示した印刷装置１６０により実行されるステップを示し、印刷装置１６０内の図示のＣＰＵによりハードディスク又はその他の記録媒体に格納されたプログラムに基づいて実行される。
【００６４】
また、図７〜図９は、図１に示した公開用ＷＥＢサーバ１３０から送信されコンテンツ検索・印刷用ＰＣのモニタ上に表示される画面の一例を示す模式図である。以下、図６のフローチャートに従って説明する。
【００６５】
まず、図６において、コンテンツ検索・印刷用ＰＣは、公開用ＷＥＢサーバ１３０にアクセスして、公開用ＷＥＢサーバ１３０から送信される検索用画面（図７）を受信し、モニタに表示する（Ｓ７０１）。
【００６６】
図７の検索画面は、コンテンツ検索・印刷用ＰＣから図中１００１に示すような各種検索条件を入力し、公開用ＷＥＢサーバ１３０にて公開されているコンテンツ情報を検索するためのものである。
【００６７】
コンテンツ検索・印刷用ＰＣは、図６のステップＳ７０２において、検索ボタン１０１０がマウス等で指示されたことを検知すると、１００１で指定しされた検索条件を公開用ＷＥＢサーバ１３０に送信する。
【００６８】
そして、コンテンツ公開用ＷＥＢサーバ１３０では、コンテンツ検索・印刷用ＰＣから送信された検索条件を受信し（Ｓ７２１）、該受信した検索条件に基づいて公開用ＷＥＢサーバ１３０にて公開されているコンテンツ情報の条件検索処理を行う（Ｓ７２２）。詳細には、受信した検索条件と、コンテンツ情報内の検索用テキストとのマッチング処理を行う。
【００６９】
そして、コンテンツ公開用ＷＥＢサーバ１３０は、コンテンツ情報内の検索用テキストとのマッチングでヒットしたコンテンツ情報（該当商品）があるか否かを判定し（Ｓ７２３）、コンテンツ情報（該当商品）がないと判定した場合には、エラー情報をコンテンツ検索・印刷用ＰＣに送信する（Ｓ７２４）。
【００７０】
そして、コンテンツ検索・印刷用ＰＣでは、コンテンツ公開用ＷＥＢサーバ１３０から送信されたエラー情報を受信すると（Ｓ７０３）、エラー情報をモニタに表示し、ステップＳ７０１に戻り、再度、検索条件の入力を促す。
【００７１】
一方、ステップＳ７２３で、コンテンツ公開用ＷＥＢサーバ１３０が、コンテンツ情報内の検索用テキストとのマッチングでヒットしたコンテンツ情報（該当商品）があると判定した場合には、ヒットした検索条件やコンテンツ登録者のユーザ情報等を含む検索結果一覧情報画面（図８）を生成し、コンテンツ検索・印刷用ＰＣに送信する（Ｓ７２５）。
【００７２】
そして、コンテンツ検索・印刷用ＰＣでは、コンテンツ公開用ＷＥＢサーバ１３０から送信された検索結果一覧情報画面（図８）を受信すると、該一覧情報画面をモニタに表示する（Ｓ７０４）。
【００７３】
図８の検索結果一覧画面は、公開用ＷＥＢサーバ１３０での検索結果の一覧をコンテンツ検索・印刷用ＰＣのモニタに表示し、図中の１１０１に示す詳細チェック欄により、検索結果一覧から所望のコンテンツを選択させ、該選択されたコンテンツの詳細情報を公開用ＷＥＢサーバ１３０から取得するためのものである。
【００７４】
なお、図６のフローチャートでは示していないが、図８中の１１０３に示すキーワード入力欄に絞り込み検索のためのキーワード検索条件を入力して、絞り込み検索キーを指示することにより、これを検知したコンテンツ検索・印刷用ＰＣは、図６のステップＳ７０２に戻り、絞り込みのためキーワードを含む検索条件を公開用ＷＥＢサーバ１３０に送信するものとする。
【００７５】
また、コンテンツ検索・印刷用ＰＣは、図６のステップＳ７０５において、詳細表示ボタン１１０２がマウス等で指示されたことを検知すると、詳細チェック欄１１０１でチェックされたコンテンツの選択情報を公開用ＷＥＢサーバ１３０に送信する。
【００７６】
そして、コンテンツ公開用ＷＥＢサーバ１３０では、コンテンツ検索・印刷用ＰＣから送信された選択情報を受信し（Ｓ７２６）、該受信した選択情報に対応するコンテンツ情報のサムネール画像とコンテンツ名称等を含むコンテンツ画像情報（図９に示すコンテンツ詳細表示画面（１又は複数ページ））を作成し、コンテンツ検索・印刷用ＰＣに送信する（Ｓ７２７）。
【００７７】
そして、コンテンツ検索・印刷用ＰＣでは、コンテンツ公開用ＷＥＢサーバ１３０から送信されたコンテンツ画像情報（図９に示すコンテンツ詳細表示画面）を受信すると、該コンテンツ画像情報（図９に示すコンテンツ詳細表示画面）をモニタに表示する（Ｓ７０６）。
【００７８】
図９のコンテンツ詳細表示画面は、選択されたコンテンツの詳細情報をコンテンツ検索・印刷用ＰＣのモニタに表示し、図９中の１２０２に示すしおり追加ボタンにより、さらに所望のコンテンツを選択させ、該選択されたコンテンツの印刷情報を公開用ＷＥＢサーバ１３０から取得して印刷するためのものである。
【００７９】
図９において、１２０１，１２０５は前ページ，次ページボタンで、このボタンを指示することにより、コンテンツ詳細表示画面内の表示ページを変更することができる。
【００８０】
マウス等でいずれかのページを選択して、しおり追加ボタン１２０２を指示することにより、印刷したいページにしおり１２０６を付加することができる。
【００８１】
１２０３はしおり削除ボタンで、しおり１２０６をマウス等で選択して、このしおり削除ボタン１２０３を指示することにより、しおり１２０６を削除することができる。
【００８２】
１２０４は印刷ボタンで、コンテンツ検索・印刷用ＰＣが、図６のステップＳ７０７において、この印刷ボタン１１０２がマウス等で指示されたことを検知すると、しおり１２０６が付加されたページの印刷要求（コンテンツを特定する情報と印刷ページの選択情報とを含む）を公開用ＷＥＢサーバ１３０に送信する。
【００８３】
そして、コンテンツ公開用ＷＥＢサーバ１３０では、コンテンツ検索・印刷用ＰＣから送信された印刷要求を受信し（Ｓ７２８）、該受信した印刷要求内のページ選択情報に基づいて、選択されたページ単位のＤＦをマージし、該マージされたＤＦと選択されたコンテンツのコンテンツＩＤと制御情報（ＤＦを印刷するためのアプリケーションソフトウェアをコンテンツ検索・印刷用ＰＣで起動するための制御情報）とを、コンテンツ検索・印刷用ＰＣに送信する（Ｓ７２９）。なお、選択されたコンテンツに対応する各コンテンツＩＤを、マージされたＤＦの一部に組み込んで送信しても、各コンテンツＩＤを制御情報の一部に組み込んで送信してもよい。
【００８４】
なお、制御情報の中にはコンテンツＩＤ毎にグレースケール（多階調の白黒）で印刷する旨のフラグを含めても良い。このフラグは予め図４のステップＳ５０３で指定しステップＳ５０７でコンテンツ用イントラサーバ１４０に送信するか、図４のステップＳ５０８で指定しステップＳ５１０でコンテンツ用イントラサーバ１４０に送信する。このフラグがオンの場合には、当該コンテンツＩＤのコンテンツは元々の印刷データがカラーであってもグレースケールで印刷される。このようにグレースケール指定をすることで、コンテンツの参照時にはカラーで見て、印刷時にはグレースケールで印刷するので印刷コストを節約することができる。
【００８５】
そして、コンテンツ検索・印刷用ＰＣでは、コンテンツ公開用ＷＥＢサーバ１３０から送信されたマージされたＤＦとコンテンツＩＤと制御情報を受信すると、該受信した制御情報に基づいてＤＦを印刷するためのアプリケーションソフトウェア（ＤＦがＰＤＦの場合はＡｄｏｂｅ社のＡｃｒｏｂａｔ（登録商標））を起動する（Ｓ７０９）。
【００８６】
そして、コンテンツ検索・印刷用ＰＣは、起動したアプリケーションソフトウェアの印刷画面から印刷指示がされたことを検知すると、アプリケーションソフトウェア及び選択されたプリンタドライバにより、印刷画面及びプリンタドライバの印刷設定及び受信した制御情報の中に含まれるコンテンツＩＤ毎にグレースケール（多階調の白黒）で印刷する旨のフラグ等の設定情報に基づいて受信したＤＦの印刷データを生成し、受信したコンテンツＩＤから管理データ（コンテンツＩＤの値が挿入された課金管理用ＩＤ）を作成し（Ｓ７１０）、該作成した印刷データ及び管理データを印刷装置１６０に送信する（Ｓ７１１）。
【００８７】
そして、印刷装置１６０は、コンテンツ検索・印刷用ＰＣから送信された印刷データ及び課金管理用ＩＤを受信し（Ｓ７４１）、受信した印刷データに基づいてコンテンツ印刷を実行する（Ｓ７４２）。
【００８８】
また、印刷装置１６０は、印刷装置１６０内の図示しないハードディスク等の不揮発性の記録媒体に、印刷日時及び印刷した印刷装置ＩＤ及び課金管理ＩＤ及び印刷枚数及び印刷結果を含む印刷記録を印刷履歴データ（図１０）に追加し（履歴更新）、コンテンツ印刷が正常に実行された場合は、印刷装置１６０側では、不揮発性の記録媒体に記憶される印刷した課金ＩＤ毎の印刷カウンタの枚数を印刷枚数に応じてアップする（カウンタ情報更新）（Ｓ７４３）。
【００８９】
図１０に示す印刷履歴データは、課金管理ＩＤとして使用されるコンテンツを登録した代理店ＩＤ９０１及びコンテンツＩＤ９０２，当該印刷のページ数９０３，印刷日時９０４，印刷を要求したコンテンツ検索・印刷用ＰＣを示す端末９０５，印刷結果を示すチェックデータ９０６，印刷した印刷装置ＩＤ９０７を含む印刷記録から構成される印刷履歴である。なお、本コンテンツ管理システムでは、印刷を実行した者ではなく、コンテンツの登録者（代理店等）に対して、印刷に基づく課金が成されるものとする。また、印刷装置が、印刷履歴データ内に、印刷時の印刷設定（製本、光沢紙を使用、フルカラー印刷、モノクロ印刷等）の情報も保存しておき、後に課金装置１５０が、この印刷設定に基づいて課金額を設定するように構成してもよい。
【００９０】
さらに、印刷装置１６０は、印刷結果をコンテンツ検索・印刷用ＰＣに送信する（Ｓ７４４）。
【００９１】
そして、コンテンツ検索・印刷用ＰＣは、印刷装置１６０から送信された印刷結果を受信する（Ｓ７１２）。
【００９２】
なお、図６のステップＳ７２９において、コンテンツ公開用ＷＥＢサーバ１３０が、コンテンツ検索・印刷用ＰＣがステップＳ７１０で実行する管理データの生成までを行ない、コンテンツ公開用ＷＥＢサーバ１３０から直接印刷装置１６０に印刷データを送信するように構成してもよい（Ｓ７２９→Ｓ７４１）。
【００９３】
以下、図１１のフローチャートを参照して、本発明のコンテンツ管理システムにおける課金集計処理について説明する。
【００９４】
図１１は、本発明のコンテンツ管理システムおける第３の制御処理手順の一例を示すフローチャートであり、課金集計処理に対応する。
【００９５】
なお、Ｓ８０１〜Ｓ８０７は、図１に示した課金装置１５０により実行されるステップ示し、課金装置１５０内の図示しないＣＰＵによりハードディスク又はその他の記録媒体に格納されたプログラムに基づいて実行される。また、Ｓ８４１〜Ｓ８４７は、図１に示した印刷装置１６０により実行されるステップを示し、印刷装置１６０内の図示しないＣＰＵによりハードディスク又はその他の記録媒体に格納されたプログラムに基づいて実行されるステップを示し、Ｓ８２１，Ｓ８２２は、図１に示した管理サーバ１００により実行されるステップ示し、管理サーバ１００内のＣＰＵによりハードディスク又はその他の記録媒体に格納されたプログラムに基づいて実行される。
【００９６】
まず、課金装置１５０は、予め設定されている課金情報の収集時期が到来したか否かを判定し（Ｓ８０１，Ｓ８０２）、まだ到来していないと判定した場合には、所定時間待機後（Ｓ８０４）、ステップＳ８０１に戻る。
【００９７】
一方、ステップＳ８０２で、課金情報の収集時期が到来したと判定した場合には、各課金管理用ＩＤ毎の印刷カウンタ枚数の要求を印刷装置１６０に対して送信する（Ｓ８０３）。
【００９８】
そして、印刷装置１６０では、課金装置１５０から送信されたカウンタ要求を受信し（Ｓ８４１）、課金ＩＤ毎の印刷カウンタ枚数（カウンタ数値）と印刷履歴データ（図１０）とを不図示の不揮発性記録媒体より読み出して（Ｓ８４２）、該読み出した印刷カウンタ枚数（カウンタ数値）と印刷履歴のうち正常に印刷が完了した枚数（実印刷枚数）とを照合し（Ｓ８４３）、一致するか否かを判定し（Ｓ８４４）、一致しないと判定した場合には、エラーフラグを「ＯＮ」に設定し（Ｓ８４５）、ステップＳ８４７に進む。
【００９９】
一方、ステップＳ８４４で、カウンタ数値と実印刷枚数とが一致すると判定した場合には、エラーフラグを「ＯＦＦ」に設定し（Ｓ８４６）、ステップＳ８４７に進む。
【０１００】
次に、印刷装置１６０は、課金情報（カウンタ数値及びエラーフラグ）を課金装置１５０に送信する（Ｓ８４７）。
【０１０１】
そして、課金装置１５０では、印刷装置１６０から送信された課金情報を受信し（Ｓ８０５）、該受信した課金情報に基づいて図示しない不揮発性記録媒体に記憶している課金情報を更新する（Ｓ８０６）と共に受信した課金情報を管理サーバ１００に転送する（Ｓ８０７）。なお、ステップＳ８４７で印刷装置から各課金管理用ＩＤ毎の課金情報を直接管理サーバ１００に送信するように構成してもよい。
【０１０２】
そして、管理サーバ１００では、課金装置１５０から送信された課金情報を受信し（Ｓ８２１）、該受信した課金情報に基づいてハードディスクに記憶している課金情報を更新する（Ｓ８２２）。
【０１０３】
以下、図１２を用いて、印刷コンテンツの画像読込から印刷処理までの流れを説明する。
【０１０４】
図１２は、本発明のコンテンツ管理装置における印刷コンテンツの画像読込から印刷処理までの流れの一例を示す模式図である。
【０１０５】
本発明のコンテンツ管理装置における印刷コンテンツの画像読込から印刷処理までの流れは、図１２に示すように、カタログ等の印刷コンテンツを読取装置１７５により読み取り（図４のステップＳ５０２）、読み取った画像データからコンテンツ登録用ＰＣ１７０によりＤＦを生成し、ＤＦをページ単位で分割し（図４のステップＳ５０３）、分割したＤＦからサムネイルを生成し（図４のステップＳ５０４，Ｓ５０５）、コンテンツ公開用ＷＥＢサーバ１３０によりＷＥＢ公開する。
【０１０６】
そして、コンテンツ検索・印刷用ＰＣにより選択されたページ（複数）でマージして１つのＤＦを生成し（図６のステップＳ７２９）、コンテンツ検索・印刷用ＰＣでプリンタドライバ情報（例えば、カラー印刷指定，グレースケール（多階調の白黒）印刷指定、製本印刷指定等）を埋め込んだ印刷データを生成して印刷装置１６０に送信し（図６のステップＳ７０９〜Ｓ７１０）、印刷装置１６０により、指定されたドライバ設定でプリントアウトする（図６のステップＳ７４１，Ｓ７４２）ようになっている。
【０１０７】
〔他の実施形態〕
上記第１実施形態では、コンテンツ公開用ＷＥＢサーバとコンテンツ用イントラサーバを個別に設けた場合について説明したが、図１に示したコンテンツ公開用ＷＥＢサーバ１３０とコンテンツ用イントラサーバ１４０を兼ねるコンテンツサーバを設ける構成としてもよい。また、印刷装置が図１に示した課金装置１５０を兼ねるように構成してもよい。以下、その実施形態について説明する。
【０１０８】
図１３は、本発明の他の実施形態を示すコンテンツ管理システムの構成を示すシステム構成図である。
【０１０９】
図において、１３５はコンテンツ用サーバで、このコンテンツ用サーバ１３５が図１に示したコンテンツ公開用ＷＥＢサーバ１３０とコンテンツ用イントラサーバ１４０を兼ねる構成となっている。
【０１１０】
また、１６５は印刷装置で、この印刷装置１６５は、図１に示した印刷装置１６０と課金装置１５０とを兼ねる構成となっている。
【０１１１】
以上のような構成の場合、図４のステップＳ５２９，図５のステップＳ６０１〜６０５の代わりに、図１で示したコンテンツ用イントラサーバ１４０とコンテンツ公開用ＷＥＢサーバ１３０を兼用したコンテンツ用サーバ１３５が、承認入力に基づいて特定の端末からのみ参照可能な社内用記憶領域（例えば、社内用フォルダ）から公開用の記憶領域（例えば、公開用フォルダ）に移動又はコピーするように構成してもよい。
【０１１２】
以上説明したように、本実施形態では、印刷コンテンツを元に電子コンテンツデータ及び公開用ＷＥＢサーバを最小限のコストで作成することができる。
【０１１３】
さらに、電子コンテンツの印刷を、各機器単位で各電子コンテンツの各ページ毎に把握することができるので、印刷した拠点乃至機器単位の正確な課金管理が可能になる。
【０１１４】
また、印刷コンテンツの追加注文をタイムリに行ない、電子コンテンツの大量印刷を未然に防止することができる。
【０１１５】
さらに、電子コンテンツの閲覧を電子コンテンツ単位及び各ページ毎に把握することができるので、各コンテンツへの関心度を正確に把握することができる。
【０１１６】
また、電子コンテンツのオンデマンド印刷により、印刷コンテンツの当初発行部数を大幅に削減したことによる機会損失を防止しつつ、印刷コンテンツ（紙）の廃棄を大幅に減らすことができ、環境保全に資する。
【０１１７】
さらに、上記図４に示したコンテンツ登録用ＰＣ１７０の処理や，図６に示したコンテンツ検索・印刷用ＰＣの処理、即ちクライアント側の処理では、いくつかの判断手段などの機能を含めた形で説明した。しかし、単純にブラウザアプリケーションでのＨＴＭＬファイルの表示を行い、クライアントからはイベントをサーバ側に送信することでサーバ側はＣＧＩやサーブレットを用いて各ステップを実現する処理を行うなどの形態でも実現できる。
【０１１８】
以上、一実施形態について示したが、本発明は、例えば、システム、装置、方法、プログラムもしくは記録媒体等としての実施態様をとることが可能であり、具体的には、複数の機器から構成されるシステムに適用しても良いし、また、一つの機器からなる装置に適用しても良い。
【０１１９】
なお、上記第１実施形態と他の実施形態や上記各変形例を組み合わせた構成も全て本発明に含まれるものである。
【０１２０】
以下、図１４に示すメモリマップを参照して本発明に係るコンテンツ管理システムで読み出し可能なデータ処理プログラムの構成について説明する。
【０１２１】
図１４は、本発明に係るコンテンツ管理システムで読み出し可能な各種データ処理プログラムを格納する記録媒体（記憶媒体）のメモリマップを説明する図である。
【０１２２】
なお、特に図示しないが、記録媒体に記憶されるプログラム群を管理する情報、例えばバージョン情報，作成者等も記憶され、かつ、プログラム読み出し側のＯＳ等に依存する情報、例えばプログラムを識別表示するアイコン等も記憶される場合もある。
【０１２３】
さらに、各種プログラムに従属するデータも上記ディレクトリに管理されている。また、各種プログラムをコンピュータにインストールするためのプログラムや、インストールするプログラムが圧縮されている場合に、解凍するプログラム等も記憶される場合もある。
【０１２４】
本実施形態における図４，図５，図６，図１１に示す機能が外部からインストールされるプログラムによって、ホストコンピュータにより遂行されていてもよい。そして、その場合、ＣＤ−ＲＯＭやフラッシュメモリやＦＤ等の記録媒体により、あるいはネットワークを介して外部の記録媒体から、プログラムを含む情報群を出力装置に供給される場合でも本発明は適用されるものである。
【０１２５】
以上のように、前述した実施形態の機能を実現するソフトウエアのプログラムコードを記録した記録媒体を、システムあるいは装置に供給し、そのシステムあるいは装置のコンピュータ（またはＣＰＵやＭＰＵ）が記録媒体に格納されたプログラムコードを読出し実行することによっても、本発明の目的が達成されることは言うまでもない。
【０１２６】
この場合、記録媒体から読み出されたプログラムコード自体が本発明の新規な機能を実現することになり、そのプログラムコードを記憶した記録媒体は本発明を構成することになる。
【０１２７】
従って、プログラムの機能を有していれば、オブジェクトコード、インタプリタにより実行されるプログラム、ＯＳに供給するスクリプトデータ等、プログラムの形態を問わない。
【０１２８】
プログラムを供給するための記録媒体としては、例えばフレキシブルディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤなどを用いることができる。
【０１２９】
この場合、記録媒体から読出されたプログラムコード自体が前述した実施形態の機能を実現することになり、そのプログラムコードを記憶した記録媒体は本発明を構成することになる。
【０１３０】
その他、プログラムの供給方法としては、クライアントコンピュータのブラウザを用いてインターネットのホームページに接続し、該ホームページから本発明のコンピュータプログラムそのもの、もしくは、圧縮され自動インストール機能を含むファイルをハードディスク等の記録媒体にダウンロードすることによっても供給できる。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバやｆｔｐサーバ等も本発明の請求項に含まれるものである。
【０１３１】
また、本発明のプログラムを暗号化してＣＤ−ＲＯＭ等の記録媒体に格納してユーザに配布し、所定の条件をクリアしたユーザに対し、インターネットを介してホームページから暗号化を解く鍵情報をダウンロードさせ、その鍵情報を使用することにより暗号化されたプログラムを実行してコンピュータにインストールさせて実現することも可能である。
【０１３２】
また、コンピュータが読み出したプログラムコードを実行することにより、前述した実施形態の機能が実現されるだけでなく、そのプログラムコードの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【０１３３】
さらに、記録媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【０１３４】
また、本発明は、複数の機器から構成されるシステムに適用しても、１つの機器からなる装置に適用してもよい。また、本発明は、システムあるいは装置にプログラムを供給することによって達成される場合にも適応できることは言うまでもない。この場合、本発明を達成するためのソフトウエアによって表されるプログラムを格納した記録媒体を該システムあるいは装置に読み出すことによって、そのシステムあるいは装置が、本発明の効果を享受することが可能となる。
【０１３５】
本発明は上記実施形態に限定されるものではなく、本発明の趣旨に基づき種々の変形（各実施形態の有機的な組合せを含む）が可能であり、それらを本発明の範囲から排除するものではない。
【０１３６】
本発明の様々な例と実施形態を示して説明したが、本発明の趣旨と範囲は、本明細書内の特定の説明に限定されるのではない。
【０１３７】
【発明の効果】
以上説明したように、本発明によれば、複数ページからなる原稿から読み取られた画像データをページ単位で印刷用コンテンツを生成し、該生成された各ページ単位の印刷用コンテンツに基づいてＷＥＢ閲覧用コンテンツをそれぞれ生成し、該生成された各ＷＥＢ閲覧用コンテンツを前記各印刷用コンテンツにそれぞれ対応付けてＷＥＢ公開用データとして登録し、該登録された各ＷＥＢ閲覧用コンテンツを所定の通信媒体を介して外部に公開処理し、該公開処理されたＷＥＢ閲覧用コンテンツに対する印刷指示が入力された場合には、該指示されたＷＥＢ閲覧用コンテンツ対応付けられた印刷用コンテンツを印刷装置に送信して印刷処理させるので、パンフレット等の印刷コンテンツを元に電子コンテンツデータ（印刷用コンテンツ，ＷＥＢ閲覧用コンテンツ）及び公開用ＷＥＢサーバを最小限のコストで作成することができる。
【０１３８】
さらに、電子コンテンツの印刷を、印刷用コンテンツに付与されたコンテンツＩＤにより、各機器単位で各電子コンテンツの各ページ毎に把握することができるので、印刷した拠点乃至機器単位の正確な課金管理が可能になる。
【０１３９】
また、印刷コンテンツの追加注文をタイムリーに行ない、電子コンテンツの大量印刷を未然に防止することができる。
【０１４０】
さらに、電子コンテンツの閲覧を電子コンテンツ単位及び各ページ毎に把握することができるので、各コンテンツへの関心度を正確に把握することができる。
【０１４１】
また、電子コンテンツのオンデマンド印刷により、印刷コンテンツの当初発行部数を大幅に削減したことによる機会損失を防止しつつ、印刷コンテンツ（紙）の廃却を大幅に減らすことができ、環境保全に資する。
【０１４２】
制御情報の中にはコンテンツＩＤ毎にグレースケール（多階調の白黒）で印刷する旨のフラグを含めて、このフラグがオンの場合には、当該コンテンツＩＤのコンテンツは元々の印刷データがカラーであってもグレースケールで印刷することができるので、コンテンツの参照時にはカラーで見て、印刷時にはグレースケールで印刷することが可能となり、印刷コストを節約することができる。
【０１４３】
従って、特に印刷パンフレットの廃棄量を大幅に抑制し、紙パンフレットの印刷・配布コスト及び電子パンフレットの作成及び印刷コストの合計額を略最小に抑制することができる等の効果を奏する。
【図面の簡単な説明】
【図１】本発明の第１実施形態を示すコンテンツ管理システムの構成を示すシステム構成図である。
【図２】図１に示したコンテンツ公開用ＷＥＢサーバ，コンテンツ用サーバのハードウェア構成を示すブロック図である。
【図３】図１に示したコンテンツ登録用ＰＣ，コンテンツ検索・印刷用ＰＣのハードウェア構成を示すブロック図である。
【図４】本発明のコンテンツ管理システムおける第１の制御処理手順の一例を示すフローチャートである。
【図５】本発明の本発明のコンテンツ管理システムおける第１の制御処理手順の一例を示すフローチャートである。
【図６】本発明の本発明のコンテンツ管理システムおける第２の制御処理手順の一例を示すフローチャートである。
【図７】図１に示した公開用ＷＥＢサーバから送信されコンテンツ検索・印刷用ＰＣのモニタ上に表示される画面の一例を示す模式図である。
【図８】図１に示した公開用ＷＥＢサーバから送信されコンテンツ検索・印刷用ＰＣのモニタ上に表示される画面の一例を示す模式図である。
【図９】図１に示した公開用ＷＥＢサーバから送信されコンテンツ検索・印刷用ＰＣのモニタ上に表示される画面の一例を示す模式図である。
【図１０】図１に示した印刷装置で管理される印刷履歴データの一例を示す模式図である。
【図１１】本発明のコンテンツ管理システムおける第３の制御処理手順の一例を示すフローチャートである。
【図１２】本発明のコンテンツ管理装置における印刷コンテンツの画像読込から印刷処理までの流れの一例を示す模式図である。
【図１３】本発明の他の実施形態を示すコンテンツ管理システムの構成を示すシステム構成図である。
【図１４】本発明に係るコンテンツ管理システムで読み出し可能な各種データ処理プログラムを格納する記録媒体（記憶媒体）のメモリマップを説明する図である。
【符号の説明】
１００  管理サーバ
１３０  コンテンツ公開用ＷＥＢサーバ
１４０  コンテンツ用イントラサーバ
１５０  課金装置
１６０  印刷装置
１７０  コンテンツ登録用ＰＣ
１８０  コンテンツ検索・印刷用ＰＣ−Ｂ
１８５  コンテンツ検索・印刷用ＰＣ−Ａ
１９０  通信回線
【図１】
2005020069.tif 000003
【図２】
2005020069.tif 000004
【図３】
2005020069.tif 000005
【図４】
2005020069.tif 000006
【図５】
2005020069.tif 000007
【図６】
2005020069.tif 000008
【図７】
2005020069.tif 000009
【図８】
2005020069.tif 000010
【図９】
2005020069.tif 000011
【図１０】
2005020069.tif 000012
【図１１】
2005020069.tif 000013
【図１２】
2005020069.tif 000014
【図１３】
2005020069.tif 000015
【図１４】
2005020069.tif 000016